(57)【特許請求の範囲】
【請求項１】
集積硬貨の外周面全体に包装紙を巻き付け、該包装紙の前記集積硬貨の両端から突出する部分をそれぞれ内側に丸めて加締めた棒金を入出庫可能な現金管理装置であって、
現金管理装置本体と、
所定数量の棒金を立位状態で収納する棒金収納部と、
該棒金収納部を収納するとともに前記現金管理装置本体に対してスライド開閉可能に設けられた収納庫と、を備えてなり、
前記棒金収納部は、
該棒金収納部の底部の一部を形成するとともに上方に突出して前記棒金を載置させる複数の載置台部を備え、
該載置台部は、
円筒状の載置台本体部と、該載置台本体部の外周から径方向に突出する部分突出部とからなり、
前記部分突出部の前記載置台本体部とは反対側の端部が前記載置台本体部と同心の円筒面上に配置されており、
前記円筒面の径が収納対象金種棒金の包装紙の加締部分の内径よりも小さくされることにより、載置される収納対象金種棒金を鉛直に沿わせ、
前記円筒面の径が小径異金種棒金の包装紙の加締部分の内径よりも大きくされることにより該加締部分の一部を前記部分突出部に引っ掛けて、載置される小径異金種棒金を鉛直に対し傾斜させることを特徴とする現金管理装置。
【請求項２】
前記部分突出部は、
小径異金種棒金が隣り合う前記載置台部それぞれに載置されたとき、前記小径異金種棒金が互いに向かい合う方向以外に傾斜するように配置されていることを特徴とする請求項１に記載の現金管理装置。
【請求項３】
前記載置台部は、
前記部分突出部が、前記収納庫の開閉方向と直交する前記載置台本体部の直径方向に沿って、前記開閉方向において交互に逆向きとなるように配置されていることを特徴とする請求項１に記載の現金管理装置。
【請求項４】
前記載置台部は、
前記部分突出部が、前記収納庫の開閉方向に平行な前記載置台本体部の直径方向に沿って、前記開閉方向において交互に逆向きとなるように配置されていることを特徴とする請求項１に記載の現金管理装置。
【請求項５】
前記棒金収納部の鉛直方向に沿う壁部は、前記載置台部からの高さが、前記収納対象金種棒金の高さに対して１／３以上２／３以下であることを特徴とする請求項１ないし４のいずれか一項に記載の現金管理装置。
【請求項６】
前記現金管理装置本体に設けられて前記収納庫の開閉位相情報を取得する位相検出部と、
前記現金管理装置本体に設けられて、前記収納庫の開閉に伴って通過する前記棒金の上下方向の端部から貨幣検出情報を取得する貨幣検出部と、
前記棒金の数量マスタ情報を記憶する記憶部と、
前記開閉位相情報に基づいて前記貨幣検出情報を補正し該補正された貨幣検出情報と前記数量マスタ情報とを照合して前記収納庫における前記棒金の数量検出情報を取得する制御部と、を備えてなり、
前記制御部は、
前記補正された貨幣検出情報に基づいて前記小径異金種棒金の有無を判定することを特徴とする請求項１ないし５のいずれか一項に記載の現金管理装置。
【発明の詳細な説明】
【技術分野】
【０００１】
本発明は、補充用の現金の管理に用いられる現金管理装置に関する。
【背景技術】
【０００２】
現金管理装置を任意の場所で運用した場合であっても、現金管理の厳正化および業務効率の向上を図ることができる現金管理装置がある（例えば特許文献１参照）。
【先行技術文献】
【特許文献】
【０００３】
【特許文献１】特開２０１１−１５９１６４号公報（図３，図５）
【発明の概要】
【発明が解決しようとする課題】
【０００４】
特許文献１記載の現金管理装置の棒金収納庫にあっては、金種毎に棒金の収納位置である棒金収納凹部が規定されている。よって、各棒金収納凹部には、設定された収納対象金種以外の直径の大きい金種の棒金は適正な収納が困難となり、これにより一部の誤収納を簡易的に規制するようになっている。
【０００５】
このように、収納対象金種以外の直径の大きい大径異金種棒金については、その誤収納を簡易的に規制することができるが、収納対象金種棒金以外の直径の小さい小径異金種棒金については、誤収納を規制できない可能性がある。
【０００６】
本発明は、上記の点に鑑みなされたもので、収納対象金種棒金以外の直径の小さい小径異金種棒金について、誤収納を検出可能となる現金管理装置の提供を目的とする。
【課題を解決するための手段】
【０００７】
上記目的を達成するために、請求項１に係る発明は、集積硬貨の外周面全体に包装紙を巻き付け、該包装紙の前記集積硬貨の両端から突出する部分をそれぞれ内側に丸めて加締めた棒金を入出庫可能な現金管理装置であって、現金管理装置本体と、所定数量の棒金を立位状態で収納する棒金収納部と、該棒金収納部を収納するとともに前記現金管理装置本体に対してスライド開閉可能に設けられた収納庫と、を備えてなり、前記棒金収納部は、該棒金収納部の底部の一部を形成するとともに上方に突出して前記棒金を載置させる複数の載置台部を備え、該載置台部は、円筒状の載置台本体部と、該載置台本体部の外周から径方向に突出する部分突出部とからなり、前記部分突出部の前記載置台本体部とは反対側の端部が前記載置台本体部と同心の円筒面上に配置されており、前記円筒面の径が収納対象金種棒金の包装紙の加締部分の内径よりも小さくされることにより、載置される収納対象金種棒金を鉛直に沿わせ、前記円筒面の径が小径異金種棒金の包装紙の加締部分の内径よりも大きくされることにより該加締部分の一部を前記部分突出部に引っ掛けて、載置される小径異金種棒金を鉛直に対し傾斜させることを特徴とする。
【０００８】
請求項２に係る発明は、請求項１に係る発明において、前記部分突出部は、小径異金種棒金が隣り合う前記載置台部それぞれに載置されたとき、前記小径異金種棒金が互いに向かい合う方向以外に傾斜するように配置されていることを特徴とする。
【０００９】
請求項３に係る発明は、請求項１に係る発明において、前記載置台部は、前記部分突出部が、前記収納庫の開閉方向と直交する前記載置台本体部の直径方向に沿って、前記開閉方向において交互に逆向きとなるように配置されていることを特徴とする。
【００１０】
請求項４に係る発明は、請求項１に係る発明において、前記載置台部は、前記部分突出部が、前記収納庫の開閉方向に平行な前記載置台本体部の直径方向に沿って、前記開閉方向において交互に逆向きとなるように配置されていることを特徴とする。
【００１１】
請求項５に係る発明は、請求項１ないし４のいずれか一項に係る発明において、前記棒金収納部の鉛直方向に沿う壁部は、前記載置台部からの高さが、前記収納対象金種棒金の高さに対して１／３以上２／３以下であることを特徴とする。
【００１２】
請求項６に係る発明は、請求項１ないし５のいずれか一項に係る発明において、前記現金管理装置本体に設けられて前記収納庫の開閉位相情報を取得する位相検出部と、前記現金管理装置本体に設けられて、前記収納庫の開閉に伴って通過する前記棒金の上下方向の端部から貨幣検出情報を取得する貨幣検出部と、前記棒金の数量マスタ情報を記憶する記憶部と、前記開閉位相情報に基づいて前記貨幣検出情報を補正し該補正された貨幣検出情報と前記数量マスタ情報とを照合して前記収納庫における前記棒金の数量検出情報を取得する制御部と、を備えてなり、前記制御部は、前記補正された貨幣検出情報に基づいて前記小径異金種棒金の有無を判定することを特徴とする。
【発明の効果】
【００１３】
請求項１に係る発明によれば、設定金種である収納対象金種棒金が収納されたとき、収納対象金種棒金は、包装紙の加締部分が部分突出部に引っ掛かることなく載置台部に載置されて鉛直に沿う鉛直立位状態になる。他方、小径異金種棒金が収納されたとき、小径異金種棒金は、包装紙の加締部分の一部が部分突出部に引っ掛かることで鉛直に対し傾斜する傾斜立位状態となる。よって、収納対象金種棒金と小径異金種棒金とで収納状態が異なることになる。したがって、設定金種である収納対象金種棒金以外の直径の小さい小径異金種棒金について、誤収納を検出可能となる。
【００１４】
請求項２に係る発明によれば、部分突出部によって隣り合う小径異金種棒金同士が互いに向かい合う方向以外に傾斜することになるため、傾斜立位状態となったときの視認性をさらに向上させることができる。
【００１５】
請求項３に係る発明によれば、部分突出部が、収納庫の開閉方向と直交する左右方向に沿って、開閉方向において交互に逆向きとなるように配置されているため、隣り合う小径異金種棒金が傾斜立位状態となったとき、左右方向のずれ量が大きくなり、視認性をさらに向上させることができる。
【００１６】
請求項４に係る発明によれば、部分突出部が、収納庫の開閉方向と平行する前後方向に沿って、開閉方向において交互に逆向きとなるように配置されているため、隣り合う小径異金種棒金が傾斜立位状態となったとき、前後方向のずれ量が大きくなり、視認性をさらに向上させることができる。
【００１７】
請求項５に係る発明によれば、棒金収納部の鉛直方向に沿う壁部の載置台部からの高さが、収納対象金種棒金の高さに対して１／３以上２／３以下であるため、収納対象金種棒金が取り出し易く、かつ小径異金種棒金の上面の位置が、収納対象金種棒金のときの位置に対して明確に大きくなって視認性をさらに向上させることができる。
【００１８】
請求項６に係る発明によれば、現金管理装置本体に設けられた貨幣検出部が、収納庫の開閉に伴って通過する棒金の上下方向の端部から貨幣検出情報を取得して開閉位相情報に基づいて補正すると、制御部は、小径異金種棒金が傾斜立位状態にあると貨幣検出情報が、鉛直立位状態にある場合に対し異なることから、この貨幣検出情報に基づいて小径異金種棒金の有無を判定することになる。したがって、小径異金種棒金が収納されたことを使用者が例え見逃したとしても、小径異金種棒金の検出を自動的に行って報知することができる。  
【図面の簡単な説明】
【００１９】
【図１】本発明の一実施形態に係る現金管理装置を示す斜視図である。
【図２】本発明の一実施形態に係る現金管理装置を示す要部の制御系ブロック図である。
【図３】本発明の一実施形態に係る現金管理装置の棒金収納庫を示す斜視図である。
【図４】本発明の一実施形態に係る現金管理装置の棒金トレイを示す斜視図である。
【図５】本発明の一実施形態に係る現金管理装置の載置台部および棒金を示す図であって、（Ｉ）は載置台部に収納対象金種棒金を載置させた状態を、（II）は載置台部に小径異金種棒金を載置させた状態をそれぞれ示すものである。
【図６】本発明の一実施形態に係る現金管理装置の載置台部の配置を示す平面図である。
【図７】本発明の一実施形態に係る現金管理装置の棒金収納庫近傍を示す部分斜視図である。
【図８】本発明の一実施形態に係る現金管理装置の棒金収納庫を示す平面図であって、（Ｉ）は現金管理装置本体に配置される下側の棒金検出反射センサとの対応関係を示すもの、（II）は現金管理装置本体に配置される上側の棒金検出反射センサとの対応関係を示すものである。
【図９】本発明の一実施形態に係る現金管理装置の棒金検出反射センサによる出力を示す特性線図であって、（Ｉ）は収納対象金種棒金検出時の出力例を、（II）は小径異金種棒金検出時の出力例をそれぞれ示すものである。
【図１０】本発明の一実施形態に係る現金管理装置の変形例としての棒金画像センサによる出力を示す特性線図であって、（Ｉ）は収納対象金種棒金検出時の出力例を、（II）は小径異金種棒金検出時の出力例をそれぞれ示すものである。
【図１１】本発明の一実施形態に係る現金管理装置の収納庫近傍を示す側面図である。
【図１２】本発明の一実施形態に係る現金管理装置の載置台部の配置の変形例を示す平面図である。
【図１３】本発明の一実施形態に係る現金管理装置の載置台部の配置の別の変形例を示す平面図である。
【発明を実施するための形態】
【００２０】
本発明の一実施形態に係る現金管理装置を図面を参照して以下に説明する。
【００２１】
図１に示す本実施形態に係る現金管理装置１０は、店舗の係員側スペースに設置されて係員により取り扱われるものであり、より窓口カウンタに近い位置で主に小束紙幣および棒金を入出庫可能に収納するものである。
【００２２】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿ってスライド開閉可能となっている。これら収納庫１２は、前方に引き出され、後方に押し込まれることになり、このように前後方向にのみ所定範囲で移動可能となるように現金管理装置本体１１に連結されている。
【００２３】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外のすべてを、棒金収納庫１２（Ｃ）とすることも勿論可能である。
【００２４】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２５】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２６】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と図３に示す棒金収納庫１２（Ｃ）とで共通となっている。
【００２７】
図３に示すように、棒金収納庫１２（Ｃ）は、棒金Ｂを入出庫可能に収納するもので、上記した枠体３４内に固定される複数、具体的には、前後に金種径に応じて６つまたは５つ、左右に４列の合成樹脂製の図４にも示す棒金トレイ４１を有している。
【００２８】
ここで、図５に示すように、棒金Ｂは、単一金種の硬貨を所定枚数中心軸線を一致させて集積してなる集積硬貨Ｃを、その外周面全体に樹脂フィルムあるいは紙からなる包装紙Ｐを所定長さ巻き付けて一体化したものである。ここで、包装紙Ｐは、集積硬貨Ｃの全長よりも幅が広く形成されており、集積硬貨Ｃの両端から同長さ突出する部分がそれぞれ内側に丸められて加締められている。このようにして形成された包装紙Ｐの両端の加締部ＰＫは、同形状で、集積硬貨Ｃよりも軸方向外側において円環状をなし、その内径が集積硬貨Ｃの外径よりも小径となって集積硬貨Ｃを軸方向外側から押さえる。
【００２９】
図３に示すように、棒金トレイ４１には、棒金Ｂが中心軸線を上下にした立位状態で収納されるものである。図４に示すように、棒金トレイ４１は、円筒を一部切り取った形状の湾曲面４２を、複数具体的には左側の３カ所と右側の３カ所と前端１カ所と後端１カ所の８カ所に有する鉛直方向に沿う壁部４３と、壁部４３の下部を閉塞する全体として水平方向に沿う底部４４とを有している。壁部４３および底部４４は、下方に凹む上方開口形状の棒金収納部４５を構成している。湾曲面４２は左側の３カ所が左右方向の位置を合わせており、右側の３カ所も左右方向の位置を合わせている。左右前端の湾曲面４２は前後方向の位置を合わせており、中央前端の湾曲面４２はこれらよりも前側に配置されている。左右後端の湾曲面４２は前後方向の位置を合わせており、中央後端の湾曲面４２はこれらよりも後側に配置されている。
【００３０】
これにより、棒金トレイ４１の棒金収納部４５には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、所定数量である合計１０本の棒金Ｂが立位状態で収納されるようになっている。左右の棒金Ｂは前後方向の位置を互いに合わせており、中央の棒金Ｂは、これらに対して前後方向の位置をずらしている。棒金Ｂは、棒金収納部４５に、その上部開口を介して上方から挿入されることになり、棒金収納部４５の壁部４３および他の棒金Ｂで支持されて中心軸線を鉛直配置した鉛直立位状態に維持される。
【００３１】
なお、各棒金トレイ４１の棒金収納部４５は、それぞれ予め設定された単一の収納対象金種の棒金Ｂのみが収納されるように決められている。言い換えれば、棒金収納庫１２（Ｃ）は、金種毎に棒金Ｂの収納位置である棒金収納部４５を収納している。各棒金トレイ４１の棒金収納部４５の湾曲面４２の径は、収納対象金種の棒金Ｂの外径よりも若干大径となっている。
【００３２】
棒金トレイ４１の底部４４つまり棒金収納部４５の底部４４は、水平に配置される最下部４９と、最下部４９よりも上方に突出して棒金Ｂを載置させる複数具体的には１０カ所の載置台部５０とからなっている。底部４４の一部を形成する載置台部５０は、図６にも示すように、円筒状の載置台本体部５１と、載置台本体部５１の外周からその径方向外方に突出する複数の小片部５２からなる部分突出部５３とで構成されている。図４に示すように、載置台部５０は、底部４４において載置台本体部５１が各湾曲面４２と同心をなすようにして湾曲面４２と同じ８カ所に形成され、さらに、これらの内側の前後２カ所に形成されている。載置台本体部５１の内側は、棒金Ｂを検出するための、上下に貫通する貫通孔５４となっている。載置台本体部５１およびその内側の貫通孔５４は、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００３３】
載置台本体部５１の上面５７と部分突出部５３の複数の小片部５２の上面５８とは同一の水平面に配置されており、載置台部５０の上面５９を構成している。図６に示すように、部分突出部５３を構成する複数の小片部５２は、それぞれの載置台本体部５１とは反対側の端面６０が、載置台本体部５１と同心の円筒面上に配置されている。端面６０を含む円筒面の中心を部分突出部５３の中心とし、これら端面６０を含む円筒面の直径を部分突出部５３の直径とする。よって、部分突出部５３の中心は円筒状の載置台本体部５１の中心と一致する。載置台部５０は、部分突出部５３以外に載置台本体部５１から径方向外方に突出する部分がない。上面５９のすべての縁部には図４に示すように面取り５９ａが形成されており、端面６０の両側縁部にも面取り６０ａが形成されている。
【００３４】
載置台部５０には、部分突出部５３を構成する小片部５２が具体的には３カ所形成されている。１つの部分突出部５３を構成する３カ所の小片部５２は、全体として載置台本体部５１の円周方向の１８０°よりも狭い範囲であって１２０°を超える範囲に形成されており、具体的には６０°ピッチの等ピッチで形成されて全体として１２０°を超える範囲に形成されている。
【００３５】
部分突出部５３の上記直径は、図５に示す設定された収納対象金種棒金Ｂ（ａ）の包装紙Ｐの加締部ＰＫの内径よりも若干小さくされており、収納対象金種よりも小径の小径異金種棒金Ｂ（ｂ）の加締部ＰＫの内径よりも大きくされている。また、載置台部５０の突出高さは、収納対象金種棒金Ｂ（ａ）の加締部ＰＫの集積硬貨Ｃからの突出量よりも大きくなっている。これにより、載置台部５０は、図５（Ｉ）に示すように収納対象金種棒金Ｂ（ａ）の加締部ＰＫを逃げて上面５８の全面で加締部ＰＫの内側の集積硬貨Ｃを直接支持するようになっている。このように支持される結果、収納対象金種棒金Ｂ（ａ）は載置台部５０上で鉛直に沿う鉛直立位状態となる。
【００３６】
他方、載置台部５０は、その上面５８の全面では小径異金種棒金Ｂ（ｂ）の加締部ＰＫの内側の集積硬貨Ｃを支持することはできず、小径異金種棒金Ｂ（ｂ）は、載置台部５０の上面５８に加締部ＰＫで乗り上げる状態となる。このとき、載置台部５０は、片側範囲が部分突出部５３の３カ所の小片部５２によって大径となっており、逆の片側範囲が載置台本体部５１によって小径となっているため、図５（II）に示すように、容易に載置台本体部５１が加締部ＰＫの内側に入り込み、よって加締部ＰＫが部分突出部５３の両端２カ所の小片部５２に乗り上げることになる。その結果、小径異金種棒金Ｂ（ｂ）は、上側ほど水平方向で部分突出部５３とは反対側に位置するように傾斜する傾斜立位状態となる。言い換えれば、載置台部５０の部分突出部５３は、収納対象金種棒金Ｂ（ａ）を鉛直に沿わせ且つ小径異金種棒金Ｂ（ｂ）を鉛直に対し傾斜させることになる。なお、部分突出部５３を３カ所の小片部５２に分けるのではなく、一つの扇形の小片部で形成しても良い。
【００３７】
ここで、図６に示すように、複数の載置台部５０は、すべて、隣り合うもの同士が、部分突出部５３を反対向きにはしないように部分突出部５３が配置されている。その結果、部分突出部５３は、小径異金種棒金Ｂ（ｂ）が隣り合う載置台部５０それぞれに載置されたとき、図６に矢印で示すように、互いに向かい合う方向以外に傾斜させる。
【００３８】
具体的には、左右方向中央の列において、最も後側の載置台部５０は前側に隣り合う載置台部５０に向け、残り３カ所の載置台部５０は後側に隣り合う載置台部５０に向けて、部分突出部５３を突出させている。また、左側の列において、最も後側の載置台部５０は、左右方向中央の後から２番目の載置台部５０に向けて、真ん中の載置台部５０は、右向きに、最も前側の載置台部５０は、左右方向中央の前から２番目の載置台部５０に向けて、部分突出部５３を突出させている。また、右側の列において、最も後側の載置台部５０は、左右方向中央の後から２番目の載置台部５０に向けて、真ん中の載置台部５０は、左向きに、最も前側の載置台部５０は、左右方向中央の前から２番目の載置台部５０に向けて、部分突出部５３を突出させている。これにより、平面視で外周側に配置されている８カ所の載置台部５０では、図６に矢印で示すように、小径異金種棒金Ｂ（ｂ）が放射状に外向きに傾斜することになり、これらの内側の前後２カ所の載置台部５０では、いずれも前向きに傾斜することになる。よって、すべての載置台部５０に小径異金種棒金Ｂ（ｂ）が載置されたとき、すべての小径異金種棒金Ｂ（ｂ）は、隣り合うもの同士が互いに向かい合う方向には傾斜しないようになっている。
【００３９】
図４に示す載置台部５０の上面５９の高さ位置は、いずれの棒金トレイ４１においても収納対象金種棒金Ｂ（ａ）を載置した場合にその上端部の棒金収納庫１２（Ｃ）での高さ位置が一定するように設定されている。つまり、長さが短い収納対象金種棒金Ｂ（ａ）を収納する棒金トレイ４１は、これが配置された棒金収納庫１２（Ｃ）での載置台部５０の高さ位置が高く、長さが長い収納対象金種棒金Ｂ（ａ）を収納する棒金トレイ４１は、これが配置された棒金収納庫１２（Ｃ）での載置台部５０の高さ位置が低くなっている。ただし、各棒金収納部４５の載置台部５０までの深さは、収納した棒金Ｂを取り出し容易とすべく上方に突出させるように設定されている。具体的に、棒金収納部４５の鉛直方向に沿う壁部４３は、載置台部５０の上面５９からの高さが、収納対象金種棒金Ｂ（ａ）の高さに対して１／３以上２／３以下の高さとなっている。
【００４０】
以上により、棒金トレイ４１の棒金収納部４５には、収納対象金種棒金Ｂ（ａ）以外の径の大きい大径異金種棒金と、収納対象金種棒金Ｂ（ａ）以外の高さの高い長大異金種棒金とは、収納が困難となり、一部の誤収納を簡易的に規制するようになっている。つまり、大径異金種棒金は壁部４３あるいは他の棒金に干渉して収納が困難となり、長大異金種棒金は、直ぐ上にある収納庫１２の前板部３１に干渉して、この長大異金種棒金が収納された棒金収納庫１２（Ｃ）の現金管理装置本体１１への押し込みを阻害する。さらに、収納対象金種棒金Ｂ（ａ）以外の径の小さい小径異金種棒金Ｂ（ｂ）は、傾斜立位状態となって、外観的に判別可能となるとともに、後述する棒金検出反射センサ（貨幣検出部）７６，７７の貨幣検出反射データが、傾斜立位状態にある小径異金種棒金Ｂ（ｂ）と鉛直立位状態にある収納対象金種棒金Ｂ（ａ）とで異なることになり、これに基づいて制御部２５が小径異金種棒金Ｂ（ｂ）を自動判別する。
【００４１】
各棒金トレイ４１には、それぞれの棒金収納部４５より外側の上面に、収納対象の金種を目視可能に明示する金種明示部６２が設けられている。各棒金トレイ４１に収納すべき設定金種を示す収納金種データは、予め設定されて記憶部２６に記憶されることになる。
【００４２】
ここで、左右方向における同列に配置されて前後に並ぶ棒金トレイ４１は、すべて収納対象金種が同一金種となっており、各列の最も前側の棒金トレイ４１は、収納本数が不足した状態でも棒金Ｂを倒さずに収納可能な端数用となっている。そして、端数用の棒金トレイ４１には、図４に示すように、棒金Ｂの転倒防止用の複数具体的には１０本の補助棒６３が隣り合う載置台部５０の間位置に立設されており、端数用であることを明示する端数明示部６４が棒金収納部４５より外側に形成されている。１０本の補助棒６３は、棒金収納部４５の中央の前後の載置台部５０を、２本共通でそれぞれを６本が囲むように配置されている。これにより、各湾曲面４２の内側に同軸に配置される棒金Ｂは、湾曲面４２とこれに対向する２本あるいは３本の補助棒６３とで単独でも立位状態に維持されることになり、棒金収納部４５の中央位置に配置される棒金Ｂは、それぞれ６本の補助棒６３で単独でも立位状態に維持されることになる。その結果、最も前側の棒金トレイ４１の棒金Ｂは、他の棒金Ｂがなくても転倒が防止され立位状態に維持されるようになっている。
【００４３】
ここで、最も前側を除く棒金トレイ４１には必ず棒金Ｂを満杯状態つまり１０本収納し、棒金Ｂを満杯状態以外で収納する場合には、最も前側の棒金トレイ４１に収納することがルール化されており、係員は、最も前側の棒金トレイ４１から棒金Ｂを必要数だけ取り出し、最も前側の棒金トレイ４１が空になり、その後側の棒金トレイ４１から棒金Ｂを取り出す場合には、この後側の棒金トレイ４１の残りの端数の棒金Ｂを、最も前側の棒金トレイ４１に移載するようになっている。
【００４４】
図７に示すように、現金管理装置本体１１の各棒金収納庫１２（Ｃ）が挿入される棒金収納庫挿入空間形成部７５の下部の前端部には、棒金収納庫１２（Ｃ）の左右４列の棒金トレイ４１のそれぞれの３列の貫通孔５４の直ぐ下側となる位置に、左右方向に同列で前後方向に並ぶ貫通孔５４を介して棒金Ｂの下端部の反射光を検出する光学反射型の棒金検出反射センサ７６が位置固定で設けられている。
【００４５】
また、現金管理装置本体１１の各棒金収納庫１２（Ｃ）が挿入される棒金収納庫挿入空間形成部７５の上部の前端部には、棒金収納庫１２（Ｃ）の左右４列の棒金トレイ４１のそれぞれの３列の載置台部５０の上方近接位置に、左右方向に同列で前後方向に並ぶ棒金Ｂの上端部の反射光を検出する光学反射型の棒金検出反射センサ（貨幣検出部）７７が、それぞれ位置固定で設けられている。
【００４６】
つまり、棒金検出反射センサ７６は、図８（Ｉ）にも示すように、１つの棒金収納庫１２（Ｃ）に対し左右方向に並べられて１２カ所設けられ、棒金検出反射センサ７７も、図８（II）にも示すように、１つの棒金収納庫１２（Ｃ）に対し左右方向に並べられて１２カ所設けられている。
【００４７】
棒金検出反射センサ７６は、検出方向を上方に向けており、各発光素子が上方に発光した光の上方からの反射光を対応する受光素子で受光するようになっている。その結果、各棒金収納庫１２（Ｃ）のそれぞれの直ぐ下に設けられた棒金検出反射センサ７６が、これらの直ぐ上で前後にスライドする棒金収納庫１２（Ｃ）の各棒金収納部４５に収納された棒金Ｂの下端部の反射光データである貨幣検出反射データ（貨幣検出情報）を貫通孔５４を介して取得することになる。
【００４８】
棒金検出反射センサ７７は、検出方向を下方に向けており、各発光素子が下方に発光した光の下方からの反射光を対応する受光素子で受光するようになっている。その結果、各棒金収納庫１２（Ｃ）のそれぞれの直ぐ上に設けられた棒金検出反射センサ７７が、これらの直ぐ下で前後にスライドする棒金収納庫１２（Ｃ）の各棒金収納部４５に収納された棒金Ｂの上端部の反射光データである貨幣検出反射データ（貨幣検出情報）を取得することになる。
【００４９】
なお、検出対象となる棒金収納庫１２（Ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金検出反射センサ７６，７７は、検出対象となる棒金収納庫１２（Ｃ）の各棒金収納部４５の前後方向の全範囲を検出できるようになっている。棒金検出反射センサ７６は、棒金収納庫１２（Ｃ）の開閉に伴って通過する、この棒金収納庫１２（Ｃ）内の棒金Ｂの下端部から貨幣検出反射データを取得することになり、棒金検出反射センサ７７は、棒金収納庫１２（Ｃ）の開閉に伴って通過する、この棒金収納庫１２（Ｃ）内の棒金Ｂの上端部から貨幣検出反射データを取得することになる。
【００５０】
ここで、制御部２５は、棒金検出反射センサ７６，７７の貨幣検出反射データから、反射光量が多い棒金Ｂの部分と、棒金Ｂがなく反射光量が少なくなる他の部分とを区別することで、棒金Ｂが収納されている範囲を検出するとともに、棒金Ｂの反射光量から金種等を識別することになる。
【００５１】
制御部２５は、後述するロータリエンコーダ８８で検知ディスク８７のスリットを検知する毎に棒金検出反射センサ７６，７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００５２】
そして、制御部２５は、棒金検出反射センサ７６，７７で棒金Ｂが検出されている範囲を基準として検出範囲を設定し、この検出範囲における、棒金検出反射センサ７６，７７の補正後の貨幣検出反射データと、記憶部２６に記憶された棒金Ｂ用の数量マスタデータ（数量マスタ情報）とを照合することで、棒金収納庫１２（Ｃ）内の棒金Ｂの数量である数量検出データ（数量検出情報）を取得する。例えば、棒金検出反射センサ７６，７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。
【００５３】
また、制御部２５は、上記検出範囲における、棒金検出反射センサ７６，７７の補正後の貨幣検出反射データと、記憶部２６に記憶された金種マスタデータ（金種マスタ情報）とを照合することで、棒金収納庫１２（Ｃ）内の棒金Ｂの金種である金種検出データ（金種検出情報）を取得する。例えば、棒金検出反射センサ７６，７７の補正後の貨幣検出反射データの中で、上記のように検出した棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。
【００５４】
さらに、制御部２５は、小径異金種棒金Ｂ（ｂ）が傾斜立位状態にあると貨幣検出反射データが、収納対象金種棒金Ｂ（ａ）が鉛直立位状態にある場合に対し異なることから、棒金検出反射センサ７６，７７の補正後の貨幣検出反射データに基づいて小径異金種棒金Ｂ（ｂ）が収納されているのか、収納対象金種棒金Ｂ（ａ）が収納されているのかを判定することになる。例えば、収納対象金種棒金Ｂ（ａ）が鉛直立位状態にあると、図９（Ｉ）に示すように貨幣検出反射データの出力レベルが一定となり、小径異金種棒金Ｂ（ｂ）が傾斜立位状態にあると図９（II）に示すように貨幣検出反射データの出力レベルが変化したり、出力レベルが低下したりすることになるため、これらの違いにより、収納対象金種棒金Ｂ（ａ）が鉛直立位状態にあるのか、小径異金種棒金Ｂ（ｂ）が傾斜立位状態にあるのかを判断する。
【００５５】
なお、制御部２５は、左右方向の位置が合う棒金検出反射センサ７６，７７の両方のデータを総合して棒金Ｂの数量検出データおよび金種検出データ等を取得することになり、棒金検出反射センサ７６，７７の各組それぞれについて、別々に、棒金Ｂの数量検出データおよび金種検出データを取得する。
【００５６】
そして、制御部２５は、例えば、棒金収納庫１２（Ｃ）内のすべての棒金収納部４５について、棒金検出反射センサ７７で検出される規定の金種以外の金種の棒金Ｂが収納されていること、つまり傾斜立位状態にある小径異金種棒金Ｂ（ｂ）を含み対応金種の収納位置に収納されていない異金種棒金Ｂを検出する等の異常を検出すると、表示部１７に異常内容とともに警告表示を行わせ、音声発生部２０で警告音を発生させる。
【００５７】
なお、棒金検出反射センサ７６，７７にかえてＣＣＤカメラ等の画像検出センサを設けることも可能である。その場合、収納対象金種棒金Ｂ（ａ）が鉛直立位状態にあれば、図１０（Ｉ）に示すように円形の画像が得られることになり、小径異金種棒金Ｂ（ｂ）が傾斜立位状態にあれば、図１０（II）に示すように楕円形の画像が得られることになるため、これらの違いにより、収納対象金種棒金Ｂ（ａ）が鉛直立位状態にあるのか、小径異金種棒金Ｂ（ｂ）が傾斜立位状態にあるのかを判断する。
【００５８】
現金管理装置本体１１内には、前後位置に、図１１に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ（位相検出部）８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００５９】
そして、三つの歯付プーリ８３，８４，８６にはタイミングベルト９１が巻回されており、このタイミングベルト９１には、収納庫１２のうちの対応するものの後端部が固定されている。これにより、収納庫１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納庫１２の開閉位相データ（開閉位相情報）を取得することになる。制御部２５は、この開閉位相データから収納庫１２の開閉方向およびその位置を割り出すことになり、移動量を時間で除算することで収納庫１２の開閉速度を割り出すことになる。なお、検知ディスク８７と一体回転する歯付プーリ８６の前方にはタイミングベルト９１の弛みをとるテンションプーリ９２が設けられている。
【００６０】
また、現金管理装置本体１１には、対応する収納庫１２の後端部の検知片９５を検知することで、この収納庫１２が現金管理装置本体１１に最も押し込まれた後端位置である全閉位置にあることを示す開閉位相データ（開閉位相情報）を取得する位置固定の全閉検知センサ（位相検出部）９６が収納庫１２のそれぞれに対して設けられている。現金管理装置本体１１には、収納庫１２の後端部の検知片９５を検知することで、この収納庫１２が現金管理装置本体１１から最も引き出された前端位置である全開位置にあることを示す開閉位相データ（開閉位相情報）を取得する位置固定の全開検知センサ（位相検出部）９７が収納庫１２のそれぞれに対して設けられている。つまり、全閉検知センサ９６および全開検知センサ９７は、収納庫１２の開閉位相情報を取得する。
【００６１】
加えて、現金管理装置本体１１には、図２に示すように、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されると開指令信号を停止させることになり、この状態でロック機構２２は、収納庫１２が全閉位置に戻されると、収納庫１２を引き出し不可に自動的かつ機械的にロックする。
【００６２】
以上に述べた本実施形態に係る現金管理装置１０によれば、設定金種である収納対象金種棒金Ｂ（ａ）が収納されたとき、収納対象金種棒金Ｂ（ａ）は、包装紙Ｐの加締部ＰＫが部分突出部５３に引っ掛かることなく載置台部５０に載置されて鉛直に沿う鉛直立位状態になる。他方、小径異金種棒金Ｂ（ｂ）が収納されたとき、小径異金種棒金Ｂ（ｂ）は、包装紙Ｐの加締部ＰＫの一部が部分突出部５３に引っ掛かることで鉛直に対し傾斜立位状態となる。よって、収納対象金種棒金Ｂ（ａ）と小径異金種棒金Ｂ（ｂ）とでは視覚的に収納状態が異なることになり、よって、小径異金種棒金Ｂ（ｂ）の検出を容易にする。したがって、設定金種である収納対象金種棒金Ｂ（ａ）以外の直径の小さい小径異金種棒金Ｂ（ｂ）について、誤収納を検出可能となる。
【００６３】
また、部分突出部５３によって隣り合う小径異金種棒金Ｂ（ｂ）同士が互いに向かい合う方向以外に傾斜することになるため、傾斜立位状態となったときの視認性をさらに向上させることができる。
【００６４】
また、棒金収納部４５の鉛直方向に沿う壁部４３の載置台部５０からの高さが、収納対象金種棒金Ｂ（ａ）の高さに対して１／３以上２／３以下であるため、収納対象金種棒金Ｂ（ａ）が取り出し易く、かつ小径異金種棒金Ｂ（ｂ）の上面の位置が、収納対象金種棒金Ｂ（ａ）のときの位置に対して明確に大きくなって視認性をさらに向上させることができる。
【００６５】
また、現金管理装置本体１１に設けられた棒金検出反射センサ７６，７７が、収納庫１２（Ｃ）の開閉に伴って通過する棒金Ｂの上下方向の端部から貨幣検出反射データを取得して開閉位相情報に基づいて補正すると、制御部２５は、小径異金種棒金Ｂ（ｂ）が傾斜立位状態にあると貨幣検出反射データが鉛直立位状態にある場合に対し異なることから、この貨幣検出反射データに基づいて小径異金種棒金Ｂ（ｂ）の有無を判定することになる。したがって、小径異金種棒金Ｂ（ｂ）が収納されたことを使用者が例え見逃したとしても、小径異金種棒金Ｂ（ｂ）の検出を自動的に行って報知することができる。
【００６６】
なお、棒金収納部４５の底部４４を構成する載置台部５０の小片部５２からなる部分突出部５３の向きは、上記に限定されることはなく、例えば、以下の変形が可能である。
【００６７】
図１２に示すように、部分突出部５３を、収納庫１２の開閉方向と直交する載置台本体部５１の直径方向に沿って、開閉方向において交互に逆向きとなるように配置する。これにより、隣り合う小径異金種棒金Ｂ（ｂ）が傾斜立位状態となったとき、図１２に矢印で示す方向に倒れることになって上面の左右方向のずれ量が大きくなり、視認性を向上させることができる。
【００６８】
図１３に示すように、部分突出部５３を、収納庫１２の開閉方向に平行な載置台本体部の直径方向に沿って、開閉方向において交互に逆向きとなるように配置する。これにより、隣り合う小径異金種棒金Ｂ（ｂ）が傾斜立位状態となったとき、図１３に矢印で示す方向に倒れることになって上面の前後方向のずれ量が大きくなり、視認性を向上させることができる。
【符号の説明】
【００６９】
１０  現金管理装置
１１  現金管理装置本体
１２  収納庫
１２（Ｃ）  棒金収納庫
２５  制御部
２６  記憶部
４３  壁部
４４  底部
４５  棒金収納部
５０  載置台部
５１  載置台本体部
５２  小片部
５３  部分突出部
７６  棒金検出反射センサ（貨幣検出部）
７７  棒金検出反射センサ（貨幣検出部）
８８  ロータリエンコーダ（位相検出部）
９６  全閉検知センサ（位相検出部）
９７  全開検知センサ（位相検出部）
Ｂ  棒金
Ｂ（ａ）  収納対象金種棒金
Ｂ（ｂ）  小径異金種棒金
【図１】
0005820742.tif 000002
【図２】
0005820742.tif 000003
【図３】
0005820742.tif 000004
【図４】
0005820742.tif 000005
【図５】
0005820742.tif 000006
【図６】
0005820742.tif 000007
【図７】
0005820742.tif 000008
【図８】
0005820742.tif 000009
【図９】
0005820742.tif 000010
【図１０】
0005820742.tif 000011
【図１１】
0005820742.tif 000012
【図１２】
0005820742.tif 000013
【図１３】
0005820742.tif 000014